(57)【要約】【課題】本発明は、外部の光りを感知することで装置が動作し、出力する音の高低に基づいて発光手段の発光部位を伸縮させることのできる発光装置を提供することをその課題とする。【解決手段】本発明の発光装置は、光の変化をセンサが感知することで動作し、音響データに基づいてメロディを音響出力するとともに、そのメロディに連動して発光手段の発光領域が伸縮するようにした。【選択図】　　　　図１
2004029048.tif 000002
【特許請求の範囲】
【請求項１】
音響を出力するスピーカと、
一端に正負一対の電極を有し、与えられた電圧値に応じて前記一端側から他端側に向かって発光領域が変化する発光手段と、
前記出力される音響の音響データが記憶された音響データ記憶手段と、
前記音響データ記憶手段から音響データを読み出し、当該音響データに基づいて音響を出力する音響出力制御手段と、
前記音響データを構成する音データの音階を所定の電圧値に変換して取得し、当該電圧を前記発光手段に与える発光制御手段と、
前記音響出力制御手段と前記発光制御手段を制御する制御手段とを有し、
当該制御手段の制御に基づいて、前記音響出力制御手段が前記音響データ記憶手段から読み出した音響データに基づいて前記スピーカから音響を出力し、発光制御手段が前記音響出力に同期して発光手段の発光領域が変化するように発光することを特徴とする発光装置。
【請求項２】
前記発光手段は、ネオン管であることを特徴とする請求項１記載の発光装置。
【請求項３】
前記発光装置は、センサを有し、センサが感知することにより動作を開始するようにしたことを特徴とする請求項１または２のいずれかに記載の発光装置。
【請求項４】
前記発光装置は、他の発光装置と通信可能に接続するコネクタと、コネクタを介して他の装置と通信を行う通信制御手段を有していることを特徴とする請求項１ないし３のいずれかに記載の発光装置。
【請求項５】
前記発光装置は、他の発光装置と接続した際に、メインとなる装置を判別するメイン判別手段を有していることを特徴とする請求項１ないし４のいずれかに記載の発光装置。
【請求項６】
複数が通信可能に接続された前記発光装置は、何れかの発光装置に設けられたセンサが感知すると、制御手段によりその発光装置がメインであると判断して、他の発光装置へメインの発光装置が決まった信号を通信制御手段によりステータス信号として送信し、メインの発光装置から音響出力される音響データを信号に変換して他の発光装置に送信し、これを受信した他の発光装置は、メインの発光装置と連動して音響データに基づくメロディを出力するとともに、音響データに基づいてそれぞれの発光手段の発光領域が変化することを特徴とする請求項１ないし請求項５のいずれかに記載の発光装置。
【発明の詳細な説明】
【０００１】
【発明の属する技術分野】
本発明は、所定の音響を出力し、その音響に合わせて発光する発光装置に関する。
【０００２】
【従来の技術】
従来、装飾本体に光センサを設け、そのセンサスイッチにより本体に設けられた発光装置、音声発生装置を動作させる装飾体（実開平５−２９７９８号）が知られている。これは装飾体本体の外面に露出された光センサが光を感知すると、この光センサスイッチに接続された発光装置が光り、同様に接続された音声発生装置が音声を発するものである。
また、筐体に周囲の音を感知して発光するストロボ発光部を備え、ストロボ発光部を透光性の蓋体で覆い、外部の音を感知すると瞬間的にストロボ発光するストロボ発光玩具（実公平７−２７９９６号）が知られている。
【０００３】
【発明が解決しようとする課題】
上述した従来の装飾体（実開平５−２９７９８号）は、センサスイッチが光を感知すると発光装置が光るとともに音声を発する単純なものであった。
またストロボ発光玩具（実公平７−２７９９６号）は、音センサが外部の音を感知すると単にストロボが発光するものであった。
【０００４】
本発明は上記従来の事情に鑑みてなされ、所定の音楽を音響出力するとともに、当該音響出力に同期して、発光手段の発光状態を変化させ、さらに同様の他装置と接続することで他装置とも連動して、発光および音響出力させることができる発光装置を提供することをその目的とする。
【０００５】
【課題を解決するための手段】
上記課題を解決するために、本願請求項１に係る発明は、発光装置に係り、
音響を出力するスピーカと、
一端に正負一対の電極を有し、与えられた電圧値に応じて前記一端側から他端側に向かって発光領域が変化する発光手段と、
前記出力される音響の音響データが記憶された音響データ記憶手段と、
前記音響データ記憶手段から音響データを読み出し、当該音響データに基づいて音響を出力する音響出力制御手段と、
前記音響データを構成する音データの音階を所定の電圧値に変換して取得し、当該電圧を前記発光手段に与える発光制御手段と、
前記音響出力制御手段と前記発光制御手段を制御する制御手段とを有し、
当該制御手段の制御に基づいて、前記音響出力制御手段が前記音響データ記憶手段から読み出した音響データに基づいて前記スピーカから音響を出力し、発光制御手段が前記音響出力に同期して発光手段の発光領域が変化するように発光することを特徴とする発光装置。
【０００６】
本願請求項２に係る発明は、請求項１記載の発光装置に係り、前記発光手段は、ネオン管であることを特徴とする。
【０００７】
本願請求項３に係る発明は、請求項１または２のいずれかに記載の発光装置に係り、前記発光装置は、センサを有し、センサが感知することにより動作を開始するようにしたことを特徴とする。
【０００８】
本願請求項４に係る発明は、請求項１ないし３のいずれかに記載の発光装置に係り、前記発光装置は、他の発光装置と通信可能に接続するコネクタと、コネクタを介して他の装置と通信を行う通信制御手段を有していることを特徴とする。
【０００９】
本願請求項５に係る発明は、請求項１ないし４のいずれかに記載の発光装置に係り、前記発光装置は、他の発光装置と接続した際に、メインとなる装置を判別するメイン判別手段を有していることを特徴とする。
【００１０】
本願請求項６に係る発明は、請求項１ないし請求項５のいずれかに記載の発光装置に係り、複数が通信可能に接続された前記発光装置は、何れかの発光装置に設けられたセンサが感知すると、制御手段によりその発光装置がメインであると判断して、他の発光装置へメインの発光装置が決まった信号を通信制御手段によりステータス信号として送信し、メインの発光装置から音響出力される音響データを信号に変換して他の発光装置に送信し、これを受信した他の発光装置は、メインの発光装置と連動して音響データに基づくメロディを出力するとともに、音響データに基づいてそれぞれの発光手段の発光領域が変化することを特徴とする。
【００１１】
【発明の実施の形態】
以下、本願発明に係る発光装置の一実施の形態について、図面を参照して詳細に説明する。
図１は発光装置１の外観と一部を透視した構成図、図２は発光装置１の電気回路図、図３は発光装置１の前記電気回路図に基づいて機能を示したブロック構成図である。
図１において、３は当該装置１を所定の台等に載置するための基部、５は前記基部３の上部に設けられ、所定の制御によって発光するネオン管１３および該ネオン管１３を覆うカバー体１５とからなる発光部、７は前記基部５に設けられ当該装置１の動作を開始するための光を感知するセンサ、９は電源のオン、オフ、あるいは前記発光部５の発光モードを切り替えるために前記基部３に設けられたスイッチ、１１は他の発光装置１と接続するためのコネクタ、１７は前記基部３の内部に取り付けられ、音響データに基づいたメロディ等を出力するスピーカ、１９は基部３内部に配置されて当該装置１に電力を供給する電源（電池）である。
【００１２】
基部３は、最適な実施の形態として彩色や形成が容易な合成樹脂等からなり、当該発光装置１をテーブル等の台に載置する際の台座となる。また、該基部３には光を感知可能なセンサ７と、スイッチ９が露出して設けられている。上部には、前記ネオン管１３が取り付けられる電極部（図示しない）と、カバー体１５が取り付けられるカバー取付部（図示しない）が設けられている。さらに該基部３の所定位置には内側にスピーカ１７が設けられ、その位置には音響出力が可能となるように複数の孔が設けられている。
この基部３の内部には詳細は後述する発光や音響出力を制御する電源や電気回路等が収容される。
また、この基部３は、複数種類の色あるいは異なった形状で形成することにより、その種類毎に異なったメロディを出力する発光装置として区別できるものである。
【００１３】
発光部５は、所定色で発光する発光手段１３と該発光手段１３を覆うカバー体１５とからなる。
発光手段１３は、一形態として直管型（筒状）のネオン管を使用する。このネオン管１３は、ネオンガスを封入したガラス管の端部に銅あるいはスチール製の電極を取り付けたものであり、この電極に所定の電圧を与えると、グロー放電により赤色を発光するものである。またネオン管は、ヘリウムガス、アルゴンガス等のガスを封入することにより、赤色以外に青色等二十数種類の色を発光させることができるという性質を有している。
【００１４】
前記ネオン管１３は、前述したようにその長手方向の一端側に電極が設けられており、この電極を用いて前記基台３の上部に設けられた電極部に嵌合させ立設されるようになっている。本実施の形態では、直径７．９８ｍｍ、長さ８１ｍｍの大きさに形成され、電圧２６０ボルト、電流７６ｍＡで発光（全灯）する仕様のものを採用する。
当該ネオン管１３は、電極に与える電圧の変化に応じて発光領域が電極側から先端方向へ向けて伸縮するように発光する性質を有している。例えば、該ネオン管１３の電極に、５０Ｖ程度の電圧を与えると、電極側から２０ｍｍ程度の部位までが発光し、１００Ｖ程度の電圧を与えると電極側から４０ｍｍ程度の部位までが発光する。
本実施の形態では、詳細は後述するが当該発光装置１から出力されるメロディ音若しくは音量に合わせて電圧を連続的に変化させることでネオン管１３を光が伸縮するように発光させることができる。以下、このネオン管１３における発光が伸縮する状態を「スィープ」または「スィープ発光」と称する。
【００１５】
カバー体１５は、透明な合成樹脂等によって形成され、前記基部３の上部に設けられたカバー取付部に取り付けられた部材である。最適な実施の形態として、球状あるいは球を変形させた形状を成し、前記ネオン管１３を覆うものである。なお、該カバー体１５はネオン管１３の発光を透過させるものであればガラスでもよく、またキャラクタ等の形状を象ったものでもよく材質および形状は問わないものである。
【００１６】
センサ７は、前記基部３の側部に露出若しくは受光可能な状態でその内部に設けられ、当該発光装置１の外部からの太陽光や電灯等の光を感知するものである。最適な実施の形態として、光導電効果（検知した光により抵抗値が変化する性質）を利用したＣｄＳセンサ（硫化カドミウムセル）を用いる。
なお、当該センサ７は、太陽光や電灯等の可視光線の光を感知するものとして説明したが、赤外線や紫外線等を感知するセンサであってもよく、当該発光装置１の動作を開始するトリガーの役目を行うことができるものであればセンサの種類や感知の方法は特に限定されない。
【００１７】
スイッチ９は、電源を供給するあるいは供給しないといった所謂オン、オフに切り替えるためのものである。また、当該発光装置１においては、オン状態において、前記センサ７よりネオン管１３を発光させるモードと、センサ７によらないモードとの切替を兼たものでもある。
スイッチ９は、最適な実施の形態として、３段階のスライド切り替え式のものが設けられている。このスイッチ９は一の位置に設定すると電源オフ、二の位置に設定すると前記センサ７によりメロディに合わせて前記ネオン管の発光を変化させるセンサモード（電源オン）であり、三の位置に設定するとメロディに関わらずランダム点灯を行う点灯モード（電源オン）である。
なお、スイッチ９は、ダイアル式やボタン式でもよく電源のオン、オフ、あるいはモードの切替が行えるものであれば方式は特に限定されない。
【００１８】
コネクタ１１は、当該発光装置１と同様の構成を有する他の発光装置とを通信可能にケーブル接続する信号の入出力部であり、前記基部３の側部に入力コネクタ１１ａと出力コネクタ１１ｂがそれぞれ設けられている。また、当該コネクタ１１にＡＣアダプタを接続すると、該コネクタ１１を介して接続された他の発光装置にも電源供給がなされる。そしてＡＣアダプタにより、商用電源１００Ｖから略４．５Ｖの直流電圧に変換され、コネクタ１１を介して接続された全ての発光装置１に電源供給を行うことができる。
【００１９】
電源１９は、当該発光装置１に所定の電圧を供給するものであり、例えば単３アルカリ電池３個を直列に接続して略４．５Ｖの電圧を前記電気回路（図３参照）に供給する。またこの電源１９により供給された電圧は、前記ネオン管１３を点灯するために昇圧回路（図３参照）を介して最高略２６０Ｖまで昇圧される。なお、上述したように当該発光装置１にＡＣアダプタを接続した場合には、優先して商用電源１００Ｖからの電源供給がなされ、当該装置１と接続された他の発光装置１においても接続ケーブルを介して電源供給がなされる。
【００２０】
つぎに、図３のブロック構成図を参照して上記発光装置１の内部構成について説明する。
図３中、２１は発光装置１の発光や音響出力等を制御する制御手段（ＣＰＵ）である。２３は前記制御手段２１により読み出しあるいは書き込み可能な記憶手段である。制御手段２１は、複数のメロディを出力するための音響データが記憶された音響記憶手段２５と、発光装置１の状態を記憶する状態記憶手段２７を有している。
２９は前記音響データに基づいて前記スピーカ１７にメロディを出力する音響出力制御手段、３１は前記音響データに基づいて前記ネオン管１３の発光を制御する発光制御手段、３３は前記コネクタ１１を介して接続された他の発光装置１との間で通信を行う通信制御手段である。
【００２１】
制御手段２１は、前記電気回路（図２参照）に組み込まれており、８ビットのワンチップマイクロコンピュータである。つまり当該発光装置１が動作するにあたり、詳細は以下に説明するが、前記スイッチ９の状態の判定、前記センサ７が光を感知した結果の判定、タイムカウント、前記ネオン管１３の発光（スィープ発光）制御、音響出力、同様の発光装置が複数接続された場合のメイン装置の判定、通信等の制御等を行うものである。
またこの制御手段２１は、例えばＲＯＭ、ＲＡＭあるいはＥＥＰＲＯＭ等からなる前記記憶手段２３が接続されている。
【００２２】
音響データ記憶手段２５には、前記スピーカ１７から出力されるメロディの音響データがアドレス毎に記憶されており、前記制御手段２１によりアドレスが指定されると該当する音響データを読み出すことができる。
すなわち、アドレス１には「Ａ曲」の音響データが記憶され、アドレス２には「Ｂ曲」が、アドレス３には「Ｃ曲」、・・・が記憶されている。
この音響データは、複数の音データにより構成され、例えば「ド」、「レ」、「ミ」・・・等の音階を示す周波数とその音階を発する時間とからなる。このような音データを順次音響出力することにより所定のメロディ（曲）を演奏することができる。
この音データは、例えば音階とその音階を出力する時間とで構成され、音階を１４段階のＭ１からＭ１４で表し、音の長さをＬ１からＬ１０で表したものである。例えば、音階Ｍ１は「ド」を、音階Ｍ２は「レ」を、・・・音階Ｍ１０は「ミ」を、・・・音階Ｍ１４は「シ」の音をそれぞれ示している。また、音響出力する音の長さ（時間）として、Ｌ１は０．２秒、Ｌ２は０．４秒、Ｌ３は０．６秒、Ｌ４は０．８秒、Ｌ５は１秒、・・・Ｌ９は１．８秒、Ｌ１０は２秒で示される。例えば、音データａは音階Ｍ５と時間Ｌ４で表され、音データｂは音階Ｍ２と時間Ｌ１で、音データｃは音階Ｍ７と時間Ｌ４で表される。このような構成の音データを組み合わせることで所定の曲（メロディ）とすることができる。
このように、該音響データ記憶手段２５に複数の曲の音響データを記憶しておくことで、アドレス指定を行えば同一の電気回路を使用して異なった音響データを読み出すことができるようになる。なお、音響データは、上述したものに限らず音響出力および通信可能な方式であれば記憶されるデータ方式は特に限定されない。
【００２３】
状態記憶手段２７には、当該発光装置１が複数接続された場合に、当該発光装置１がどのような状態であるかが記憶されている。これは、単体ではそれぞれ異なったメロディを出力するが、複数の装置を接続した場合にメイン（親装置）となる発光装置を決めて、その発光装置のメロディを全装置で合奏させるためである。そのため状態記憶手段２７には、複数が接続された発光装置のうち、メインの発光装置を判断するためにメイン判別手段としてのメインフラグと、その他の発光装置を判断するパートフラグが記憶されている。
複数接続した発光装置のうち、最初に感知したセンサ７を有する発光装置のメインフラグを「１」に設定し、該メインの発光装置から他の発光装置へメインが決まった内容のステータス信号を送信する。ステータス信号を受信した他の発光装置はパートフラグを「１」に設定する。すなわち、メインの発光装置は、メインフラグが「１」、パートフラグが「０」であり、他の発光装置は、メインフラグが「０」、パートフラグが「１」となり、これらのフラグは電源がオフに設定されることで全て「０」にクリアされる。
なお、メインとなる発光装置を特定するためにメインフラグとパートフラグを設けて説明したが、メインとなる発光装置が特定できればその方法は特に限定されない。
また、この状態記憶手段２７には、当該発光装置が単体、あるいはメインの発光装置であった場合に、前記音響データ記憶手段２５に記憶された複数の音響データのうち何れのデータを読み出すかを決めるアドレスが記憶されている。
【００２４】
音響出力制御手段２９は、前記制御手段２１を介して前記状態記憶手段２７にアクセスし、当該発光装置から音響出力するメロディの音響データのアドレスを取得する。
アドレスを取得すると、そのアドレスの音響データを音響データ記憶手段２５から読み出して前記スピーカ１７から出力する。この場合に、音響データは該音響出力制御手段２９により増幅されてスピーカ１７から出力される。
最適な実施の形態として、状態記憶手段２７の「アドレス」が「１」であった場合は、制御手段２１は「１」を設定して前記音響データ記憶手段２５にアクセスし、アドレス１に記憶された「Ａ曲」の音響データを読み出す。「アドレス」が「２」の場合は「Ｂ曲」、「アドレス」が「３」の場合は「Ｃ曲」を選択して読み出し、その音響データに基づいて前記スピーカからメロディを音響出力する。
【００２５】
発光制御手段３１は、前記音響出力制御手段２９により読み出された音響データに基づいて前記ネオン管１３を発光させるものである。
これは音響データを構成する複数の音データの音階（Ｍ１からＭ１４）を所定の電圧値に変換して前記ネオン管１３に与える。
例えば、音データの音階がＭ１の場合にはネオン管１３の電極には電圧を与えず、音階がＭ２であった場合には２０Ｖを、・・・音階がＭ１０であった場合には１８０Ｖを、・・・音階がＭ１４の場合は２６０Ｖをネオン管１３の電極に与える。そして音データに含まれる音の長さが電圧を与える時間となる。
例えば、音データａが音階Ｍ５と時間Ｌ４で示された場合には、ネオン管１３の電極に電圧８０Ｖを０．４秒間与え、音データｂが音階Ｍ２と時間Ｌ１で示された場合には、電圧２０Ｖを０．２秒間与える。
このように、発光制御手段３１は、音響データの各音データａ、ｂ、・・・に基づいて電圧値を変化させ、その電圧をネオン管１３の電極に与えることでネオン管１３の発光領域が変化し、各音データの時間分発光させることができる。これを連続的に行うと、ネオン管１３はメロディに合わせてスィープ発光する。
【００２６】
通信制御手段３３は、同様の発光装置１が複数接続された場合に、当該発光装置から他の発光装置に音響データによる信号あるいはステータス信号を送受信するものである。
ステータス信号は、最初にセンサが光を感知したメインの発光装置から他の発光装置へメインの装置が決まったことの内容を示した信号である。このステータス信号はメインの発光装置から送信され、これを受信した他の発光装置は自装置のパートフラグを「１」に設定し、受信したステータス信号をつぎの発光装置１に送信する。
またメインとなる発光装置の音響出力制御手段２９から読み出された音響データは信号に変換されて他の発光装置に送信される。
例えば３個の発光装置１ａ、１ｂ、１ｃが接続されている場合、発光装置１ａがメインの装置とすると、発光装置１ａから発光装置１ｂへ信号を送信し、発光装置１ｂから発光装置１ｃへ信号を送信する。そして発光装置１ｃから発光装置１ａへ信号が返信されると全ての装置の通信が完了する。
【００２７】
つぎに上記構成の発光装置１の動作についてフローチャートを参照して説明する。
＜発光装置単体での動作＞
図４は、発光装置１を単体で動作する様子を示したフローチャートである。
まず、本願発明の発光装置１のスイッチ９を電源オフから前記二の位置に設定する（ステップＳ１）。スイッチ９が設定されてセンサ７が作動すると（ステップＳ２）、制御手段２１は前記センサ７が光の変化を感知したかどうかの判定を行う（ステップＳ３）。
センサ７が光の変化を感知した場合には、当該発光装置１の電気回路（図３参照）が動作を開始する（ステップＳ４）。光の変化を感知しなかった場合には、光を感知するまで待機状態となる。
制御手段２１は、記憶手段２３の状態記憶手段２７にアクセスし、状態記憶手段２７に記憶された当該発光装置１が演奏すべき音響データのアドレスを読み出す（ステップＳ５）。制御手段２１はこのアドレスを基に音響データ記憶手段２５から該当する音響データを読み出す（ステップＳ６）、その音響データを音響出力制御手段（増幅回路）２９で増幅し、前記スピーカ１７からメロディとして出力する（ステップＳ７）。
また、この音響データに基づいて、発光制御手段（昇圧回路）３１により所定の電圧値に変換し（ステップＳ８）、その電圧を与えて所定時間ネオン管１３を発光させる（ステップＳ９）。そして音響データによる音響出力と発光が終了しない場合はステップＳ７の処理を繰り返し、全ての音響データの出力が終了した場合はつぎにセンサ７が光を感知するまで待機状態となり当該処理は終了する（ステップＳ１０）。
このように当該発光装置から音響出力されるメロディに合わせて、ネオン管１３をスィープ発光させることができる。つまり、高音が出力されているときは、ネオン管１３の発光は該ネオン管１３の上方まで発光し、低音が出力されているときはネオン管１３の発光は該ネオン管１３の下方のみが発光する。
【００２８】
つぎに上記構成の発光装置１を複数接続した場合についてフローチャートを参照して説明する。
＜発光装置を複数連結した場合の動作＞
まず、複数の発光装置１のコネクタ１１間をそれぞれ接続コードで接続し、それぞれのスイッチ９を二の位置（センサモード）に設定して電源オンに設定する。するとこれら複数の発光装置１の何れか１つのセンサ７が最初に光の変化を感知するとメインとなる発光装置１が決まる。このとき、複数の発光装置１はスイッチ９を同時には電源オンの状態に設定できないため、通常は最初にスイッチ９が電源オンに設定された発光装置１がメインの装置となる。
【００２９】
図５は、前記メインとなる発光装置１の動作の様子を示したフローチャートである。
スイッチ９が電源オンに設定されると（ステップＳ１１）、センサ７が作動する（ステップＳ１２）。センサ７が所定の光を感知したかどうかを判定し（ステップＳ１３）、感知しない場合はステップＳ１２の処理に戻り、光を感知するまで待機状態となる。
センサ７が所定の光を感知すると制御手段２１は、メインフラグに「１」をセットし（ステップＳ１４）、当該装置１の状態記憶手段２７のメインフラグを書き換える（ステップＳ１５）。この場合に、既に他の発光装置１がメイン装置と判定されている場合があることから、パートフラグが「１」であるかどうかのチェックを行った後にメインフラグの設定を行う。
【００３０】
つぎに制御手段２１は、通信制御手段３３を介してメインの発光装置１が決まったことを示すステータス信号を送信する（ステップＳ１６）。この送信が完了するまで送信を行い（ステップＳ１７）、終了すると次の処理を行う。すなわち、メインの発光装置１は、ステータス信号を他の発光装置１に送信し、その信号を他の発光装置１から当該発光装置１から受信すると送信完了となる。
音響出力制御手段２９は制御手段２１を介して状態記憶手段２７から当該発光装置１がメロディとして出力する音響データのアドレスを取得する（ステップＳ１８）。そしてこのアドレスを基に音響データ記憶手段２５から該当する音響データを読み出す（ステップＳ１９）。
そしてこの音響データの音データを１データずつ他の発光装置１へ向けて送信する（ステップＳ２０）。音データは他の装置１へ送信すると共に音響出力制御手段（増幅回路）２９により増幅し、前記スピーカ１７からメロディとして出力する（ステップＳ２１）。
また、この音データは前記発光制御手段（昇圧回路）３１により所定の電圧値に変換され（ステップＳ２２）、その電圧を所定時間ネオン管１３に与えるとネオン管１３は所定時間、所定部位まで発光する（ステップＳ２３）。そして全ての音響データの音響出力および発光と送信が終了しない場合はステップＳ２０の処理を繰り返し、全ての音響データの出力が終了した場合はつぎにセンサ７が光の変化を感知するまで待機となり当該処理は終了する（ステップＳ２４）。
【００３１】
図６は、前記メインの発光装置１からの指示に従って動作する他の発光装置１の様子を示したフローチャートである。
これら他の発光装置１は、メインの発光装置１と同様にセンサモードで電源オンの状態に設定される（ステップＳ２５）。
この発光装置１は当該装置のセンサ７が光を感知する前にステータス信号を受信すると既にメインの発光装置１が決定したことを得る。すなわち、メインフラグが「０」であった場合には当該発光装置１はメインの装置ではないと判断される。
通信制御手段３３はステータス信号を受信したかどうかの判定を行い（ステップＳ２６）、ステータス信号を受信すると（ステップＳ２７）、そのステータス信号を次に接続された発光装置１へ送信する（ステップＳ２８）。また同時にステータス信号を受信すると、制御手段２１はパートフラグに「１」を設定し（ステップＳ２９）、記憶手段２３の状態記憶手段２７のパートフラグを書き換える（ステップＳ３０）。
つづいて送られてきた音響データのうち１つの音データを受信する（ステップＳ３１）。この音データを受信すると、つぎに接続された発光装置１に該音データを送信する（ステップＳ３２）。
音データを受信すると、音響出力制御手段２９はその音データに基づいて音を出力する（ステップＳ３３）。また音を出力すると同時に発光制御手段３１は音データに基づいてネオン管１３に所定時間電圧を与える（ステップＳ３４）。この電圧値によりネオン管１３が所定時間、所定部位まで発光する（ステップＳ３５）。そして全ての音響データを受信するまでステップＳ３１の処理を繰り返し（ステップＳ３６）、曲が終了すると当該発光装置１は待機状態となり処理を終了する。
このようにメインの発光装置１から音響出力されるメロディに合わせて、ネオン管１３をスィープ発光させ、またこのメインの発光装置に連動させて他の発光装置が同様のメロディを出力するとともにネオン管１３も同様にスィープ発光させることができる。
すなわち、発光装置１ａがメインの場合は、全ての発光装置１ａ、１ｂ、１ｃが「Ａ曲」を音響出力し、同時に「Ａ曲」の音の高低に合わせてネオン管１３がスィープ発光する。また、装置１ｂがメインの場合は、全ての装置が「Ｂ曲」を出力し、同時に「Ｂ曲」の音の高低に合わせてネオン管１３をスィープ発光させることができる。
【００３２】
なお、上記実施の形態では、発光装置１から発せられる音の高低に合わせてネオン管１３をスィープさせて説明したが、ネオン管をランダムにスィープ発光てもよい。この場合、前記スイッチ９を三の位置に設定すると、制御手段２１によりランダムな数値を発生させ、その数値に基づいた電圧をネオン管１３に与える。
例えば、記憶手段２３に数値とその数値と関連付けた電圧値をテーブルとして記憶し、発生させたランダムな数値により電圧値を得て、その電圧をネオン管に与えることでスィープ発光させることができるようになる。
【００３３】
また、上記実施の形態では、発光手段としてネオン管を使用したが、同様に与える電圧により、スィープ発光できるものであれば、発光手段は特に限定されない。
なお、上記実施の形態では、１つの音響データに基づいて音響出力は曲を１回のみで終了するものとして説明したが、数回繰り返す、あるいは電源オフに設定されるまで繰り返してもよい。また、１回あるいは数回で終了する場合は、曲の終了後、複数の発光装置１のうち何れかのセンサが最初に光を感知した場合は、その装置がメイン装置となり、上述した動作によりその発光装置の曲を出力させるようにしてもよい。
【００３４】
また、上記実施の形態では、発光装置１を複数接続して連動する場合に、音響データを他の装置に送信することで曲の出力とネオン管１３の発光を行うようにしたが、音響データのアドレスを送信し、各発光装置が有する音響データ記憶手段２５から読み出して出力するようにしてもよく、メインとなった装置に合わせて発光および音響出力されるものであればその方法は特に限定されない。
なお、上記実施の形態では、発光装置１を複数接続して連動する場合に、メインの発光装置１に合わせて他の発光装置１から音響出力および発光するものとして説明したが、他の発光装置１の発光はメインの発光装置１と逆にしてもよい。すなわち、メインの発光装置が高い部位まで発光しているときに他の装置は低い部位で発光し、メインの装置が低い部位で発光しているときに他の装置は高い部位で発光させる。またこのような発光を１つ置き交互に行うようにしてもよい。
【００３５】
【実施例】
次に、本願発明に係る実施例を説明する。
上記実施の形態では、スピーカより発生される音響が、メロディである場合を中心に説明したが、必ずしもメロディに限る必要は無い。以下、他の例を説明する。
前述のように、本願に係る発光装置は、制御手段２１と、当該制御手段２１によって制御される音響出力制御手段２９および発光制御手段３１を有している。そして、音響出力制御手段２９は複数の音データによって構成された音響データに基づいて、所定の音響をスピーカより出力するものである。
ここで、音データとは簡単な例では、前述のように「ド」「レ」「ミ」・・等の特定の周波数の音をどの程度の時間出力するかを予め定めたデータである。この音データが、所定の順序で指定若しくは選択されることで音響が発生され、一例として前述のように音楽（メロディ）として発生されるようになっている。
【００３６】
しかし、発生される音響がメロディであるか否かは、音響データの設定内容によるものであり、音響データの内容が非音楽的に音を発生させるような設定であれば、発生される音響はメロディではなくなる。また、発生される音の音質（種類）として、例えばトーン式電話機のＤＴＭＦ信号のような「ピッ」「ポッ」「パッ」という音を発生させることもできる。
このように、非音楽的な音階の組み合わせとＤＴＭＦ信号のような音を組み合わせると、「ピッ、ポッ、パッ」「ピッ、ピッ、ピッ、パッ」「パッ、ピッ、ポッ、ポッ、パッ」というような音響を発生させることが出来る。そして、このような音響は、ロボットや宇宙人の言葉を連想させる音として玩具ではよく使われるものである。
【００３７】
上記のようなロボットや宇宙人の言葉を連想させる音と本願発明に係る発光装置とを組み合わせると、当該発光装置を、話をしながら発光するような宇宙人等をイメージさせる装置にすることができる。さらに、当該発光装置は光センサ等の反応によって音と光を発生させたりすることができるので、あたかも使用者と対話をするような雰囲気を使用者に与えることが出来る。
【００３８】
【発明の効果】
本願発明の発光装置は、発光する部材としてネオン管を使用したため、ネオン管の中に封入するガスの種類によって発光色を変えることができる。
本願発明の発光装置は、音響データに基づいてメロディを出力し、その音の高低に合わせてネオン管の発光部位を伸縮するようにしたため、インテリアとして楽しむことができる。また発光装置にセンサを設けて、光の変化を感知すると動作するようにしたため、例えば外出から帰宅して電灯をつけた場合に当該発光装置を動作させることができる。
また、本願発明の発光装置は、外形によって異なった曲のメロディを出力できるため、同シリーズを買い足して収集する楽しみが得られる。
【００３９】
さらに、本願発明の発光装置はコネクタを介して複数の他の発光装置と通信可能に接続することができるため、１つの発光装置に連動して動作させることができ、従来にない興趣性を得られる。
また、外形の異なった同シリーズの発光装置を複数接続することにより、それらのうちメインとなった発光装置の曲を全装置で合奏させて楽しむことができる。
【図面の簡単な説明】
【図１】本願発明の一実施の形態に係る発光装置の外観図である。
【図２】本願発明の一実施の形態に係る発光装置の内部に設けられた回路図である。
【図３】本願発明の一実施の形態に係る発光装置のブロック構成図である。
【図４】本願発明の一実施の形態に係る発光装置を単体で使用した様子を示すフローチャートである。
【図５】本願発明の一実施の形態に係る発光装置を複数接続したときの動作（メインの発光装置）を示すフローチャートである。
【図６】本願発明の一実施の形態に係る発光装置を複数接続したときの動作（他の発光装置）を示すフローチャートである。
【符号の説明】
１　発光装置
３　基部
５　発光部
７　センサ
９　スイッチ
１１　コネクタ
１３　ネオン管（発光手段）
１５　カバー体
１７　スピーカ
１９　電源
２１　制御手段（ＣＰＵ）
２３　記憶手段
２５　音響データ記憶手段
２７　状態記憶手段
２９　音響出力制御手段
３１　発光制御手段
３３　通信制御手段
【図１】
2004029048.tif 000003
【図２】
2004029048.tif 000004
【図３】
2004029048.tif 000005
【図４】
2004029048.tif 000006
【図５】
2004029048.tif 000007
【図６】
2004029048.tif 000008